(57)【要約】【課題】メインスイッチのオン幅に合わせて、過電流保護レベルを変えることができる電源を提供する。【解決手段】過電流保護回路２を備えた電源回路であって、過電流保護回路２は過電流検出抵抗３と過電流検出回路１０を備え、この過電流検出回路１０を電源回路のメインスイッチ１に接続し、過電流検出回路１０はコンパレータ１１を備え、このコンパレータ１１の一方の入力に過電流検出抵抗３で検出された信号を入力するよう接続し、同じくコンパレータ１１の他方の入力に基準電圧生成部１２を接続し、この基準電圧生成部１２にメインスイッチ１と同期するスイッチ１４を設けるとともに、このスイッチ１４のオン・オフにより充放電するコンデンサ１５を設けて、このコンデンサ１５の充放電により基準電圧を連続的に変えて、メインスイッチ１に出力するように構成してあることを特徴とする電源回路。【選択図】図１
2004234584.tif 000002
【特許請求の範囲】
【請求項１】
過電流保護回路を備えた電源回路であって、前記過電流保護回路は過電流検出用の抵抗と過電流検出回路とを備え、この過電流検出回路を前記電源回路のメインスイッチに接続し、前記過電流検出回路はコンパレータを備え、このコンパレータの一方の入力に前記過電流検出用の抵抗で検出された信号を入力するよう接続し、同じくコンパレータの他方の入力に基準電圧を生成する基準電圧生成部を接続し、この基準電圧生成部に前記メインスイッチと同期するスイッチを設けるとともに、このスイッチのオン・オフにより基準電圧を連続的又は段階的に変えて、前記メインスイッチのオン・オフを制御するように構成してあることを特徴とする電源回路。
【請求項２】
前記メインスイッチをＭＯＳＦＥＴで構成し、このメインスイッチのソース端子又はドレイン端子に前記過電流保護回路を接続してあることを特徴とする請求項１記載の電源回路。
【請求項３】
前記メインスイッチはトランジスタで構成し、このメインスイッチのエミッタ端子又はコレクタ端子に前記過電流保護回路を接続してあることを特徴とする請求項１記載の電源回路。
【請求項４】
前記メインスイッチはＩＧＢＴで構成し、このメインスイッチのエミッタ端子又はコレクタ端子に前記過電流保護回路を接続してあることを特徴とする請求項１記載の電源回路。
【請求項５】
前記基準電圧生成部に前記スイッチのオン・オフにより充放電するコンデンサを設けて、前記メインスイッチのオン幅に合わせて基準電圧を連続的に変えるように構成してあることを特徴とする請求項１乃至４のいずれかに記載の電源回路。
【請求項６】
前記基準電圧生成部は、定電圧源と直列にスイッチを接続して直列回路を構成し、この直列回路と並列にコンデンサを接続して構成してあることを特徴とする請求項５記載の電源回路。
【請求項７】
前記基準電圧生成部は、定電圧源と直列にコンデンサを接続して直列回路を構成し、この直列回路と並列にスイッチを接続して構成してあることを特徴とする請求項５記載の電源回路。
【請求項８】
前記基準電圧生成部は、定電圧源と直列にコンデンサを接続して直列回路を構成し、前記コンデンサと並列にスイッチを接続して構成してあることを特徴とする請求項５記載の電源回路。
【請求項９】
前記基準電圧生成部にスイッチと並列又は直列若しくは並列及び直列に抵抗を設けるとともに、スイッチの制御端子にタイマーを設けて、基準電圧を段階的に変えるように構成してあることを特徴とする請求項１乃至４のいずれかに記載の電源回路。
【請求項１０】
前記基準電圧生成部にスイッチを複数個直列に接続し、これらスイッチと並列又は直列若しくは並列及び直列に抵抗を設けてあることを特徴とする請求項９記載の電源回路。
【請求項１１】
前記過電流保護回路に前記過電流検出回路とは別に第二の過電流検出回路を並列に接続し、この第二の過電流検出回路はコンパレータを備え、このコンパレータの一方の入力に前記メインスイッチを接続し、同じくコンパレータの他方の入力に基準電圧生成部を接続してあり、前記過電流検出回路及び第二の過電流検出回路の出力にＯＲ回路を接続し、このＯＲ回路により前記メインスイッチのオン・オフを制御するように構成してあることを特徴とする請求項１乃至１０のいずれかに記載の電源回路。
【請求項１２】
前記過電流検出回路の基準電圧生成部と並列に、前記コンパレータの最大電圧を制限する抵抗、ツェナーダイオードその他クランプ手段を接続してあることを特徴とする請求項１乃至１０のいずれかに記載の電源回路。
【請求項１３】
前記基準電圧生成部と前記コンパレータとの間に接続部を設け、この接続部に前記基準電圧生成部に電流を供給する電流供給回路を接続してあることを特徴とする請求項１乃至１２のいずれかに記載の電源回路。
【請求項１４】
前記電流供給回路で定電流が流れるように構成してあることを特徴とする請求項１３記載の電源回路。
【請求項１５】
前記電流供給回路に抵抗を設けてあることを特徴とする請求項１３又は１４記載の電源回路。
【請求項１６】
前記基準電圧生成部のコンデンサと前記コンパレータの間に複数の電流供給回路を設けて、段階的に前記基準電圧生成部に電流を供給するように構成してあることを特徴とする請求項１３乃至１５のいずれかに記載の電源回路。
【請求項１７】
前記スイッチにメインスイッチのオン幅を検出して、前記過電流検出回路のレベルを変化させるタイマー回路を接続してあることを特徴とする請求項１乃至１６のいずれかに記載の電源回路。
【発明の詳細な説明】
【０００１】
【発明の属する技術分野】
本発明は、電源回路に関するものであって、この電源回路のメインスイッチをオン・オフ動作させ、直流電源電圧を昇降圧させるトランスを駆動するとともに、メインスイッチを流れる電流の過電流を検出する過電流検出回路を備えた電源回路に関するものである。
【０００２】
【従来の技術】
図１８に、従来の過電流検出回路を備えた電源回路の要部を示す。また図１９にこの回路に係る動作波形図を示し、図２０にレベル波形図を示す。この従来の電源回路に備えた過電流保護回路２は過電流検出回路６０と過電流検出抵抗３とを備え、ＭＯＳＦＥＴで構成したメインスイッチ１のソース端子に過電流検出回路６０と過電流検出抵抗３とを接続し、過電流検出回路６０はコンパレータ６１を備え、このコンパレータ６１の正側の入力端子にメインスイッチ１のソース端子を接続し、同じくコンパレータ６１の負側の入力端子に基準電圧生成部６２を接続し、同じくコンパレータ６１の出力端子にメインスイッチ１のオン・オフを制御するように構成してある。
【０００３】
また、メインスイッチを流れる電流の過電流を検出し、その過電流検出信号を出力する過電流検出回路からの過電流検出信号をラッチして、メインスイッチのオン・オフ動作を禁止する動作禁止信号を発生して、メインスイッチのオン・オフ動作を停止させる制御回路における動作禁止信号の発生を継続させるとともに、直流電源の遮断に基づいてそのラッチ動作を解除するラッチ回路を備えた電源回路もある（例えば、特許文献１参照）。
【０００４】
【特許文献１】
特開平１１−６９７９６号公報（第３−５頁、第１図）
【０００５】
【発明が解決しようとする課題】
いずれの電源回路においても、過電流検出抵抗３の端子電圧が基準以上になるとコンパレータ出力がハイになり、メインスイッチ１のゲート端子がリセットされる。電源回路の入力電圧が変わっても過電流保護レベルは常に基準以上で一定であり、電源回路の出力電力は主電圧Ｖｉｎとメインスイッチ１のドレイン電流Ｉｄで決まる。よって、入力が高いときは、出力電力が大きくなり、負荷短絡電流も大きくなるという課題が生じた。
【０００６】
本発明は、上記問題に鑑みてなされたものであり、メインスイッチのオン幅に合わせて、過電流保護レベルを変えることができる電源を提供する。
【０００７】
【課題を解決しようとする手段】
上記目的を達成するためになされた本発明は、電源の入力電圧に対する垂下点変動が小さくなる効果がある。出力巻線短絡時のメインスイッチの電流ピークを抑え、メインスイッチの破損を防止することができる。さらに、巻線短絡電流や負荷短絡電流を低減できる。
【０００８】
通常、入力電圧が高くなると垂下点が伸びるため、短絡電流も大きくなるが、本発明によれば、入力が高いときの垂下点を入力が低いときと同程度にできるため、短絡電流の低減ができる。
【０００９】
【発明の実施の形態】
以下、添付図面を用いて本発明電源回路に係る実施例を説明する。本発明に係る電源回路の第一実施例の要部を図１に示し、その動作波形図を図２及び図３に示す。１はメインスイッチ、２は過電流保護回路、３は過電流検出抵抗、１０は過電流検出回路、３０は第二の過電流検出回路である。
【００１０】
本発明に係る電源回路は過電流保護回路２を備えてあり、この第一実施例に係る電源回路に係る過電流保護回路２は過電流検出抵抗３と過電流検出回路１０，３０とを備えてある。過電流検出抵抗３及び過電流検出回路１０，３０をＭＯＳＦＥＴで構成した電源回路のメインスイッチ１のソース端子に接続してある。過電流検出回路１０，３０はコンパレータ１１，３１を備えてある。コンパレータ１１，３１の正側の入力端子にメインスイッチ１のソース端子を接続し、同じくコンパレータ１１，３１の負側の入力端子に基準電圧生成部１２，３２を接続してある。なお、本実施例では過電流検出抵抗３をメインスイッチ１のソース端子に接続してあるが、メインスイッチ１のオン抵抗を利用してもよい。また、本実施例ではメインスイッチ１をＭＯＳＦＥＴで構成してあるが、トランジスタやＩＧＢＴで構成してもよい。
【００１１】
第二の過電流検出回路３０の基準電圧生成部３２は定電圧源のみで構成してあるのに対し、第一の過電流検出回路１０の基準電圧生成部１２は定電圧源１３とスイッチ１４とコンデンサ１５とからなり、定電圧源１３とコンデンサ１５とを直列に接続し、この直列回路にスイッチ１４を並列に接続してあり、メインスイッチ１のオン・オフに応じてレベルが変えられるように構成してある。また、基準電圧生成部１２とコンパレータ１１との間に接続部を設け、この接続部に基準電圧生成部１２に電流を供給する定電流回路１６を接続し、メインスイッチ１のオン幅に合わせてリニアに変えるようにしてある。過電流検出回路１０，３０の出力端子をＯＲ回路３３のそれぞれの入力端子に接続し、ＯＲ回路３３の出力端子を直接若しくは間接的にメインスイッチ１のゲート端子に接続し、メインスイッチ１のオン・オフを制御するように構成してある。
【００１２】
第一実施例は以上のように構成し、以下のような作用をする。メインスイッチ１がオンのとき、第一の過電流検出回路１０に設けたスイッチ１４は同期してオフする。定電流回路１６から電流が流れて、基準電圧生成部１２に設けたコンデンサ１５は充電されるとともに、図２に示すように基準電圧は上昇する。コンパレータ１１において過電流検出抵抗３で検出された信号と基準信号とが比較され、メインスイッチ１のゲートリセット信号として出力する。
【００１３】
一方、第二の過電流検出回路３０の基準電圧は、図３に示すように一定であり、こちらも過電流検出抵抗３で検出された信号と基準信号とが比較され、メインスイッチ１のゲートリセット信号として出力する。これらはＯＲ回路３３により決定され、メインスイッチ１がオンになった段階では、第一の過電流検出回路１０から出力したゲートリセット信号が採用され、図２に示すように、このゲートリセット信号がメインスイッチ１の制御端子に出力され、第一の過電流検出回路１０の基準レベルが第二の過電流検出回路３０の基準レベルより上回ると、第二の過電流検出回路３０から出力したゲートリセット信号が採用され、図３に示すように、このゲートリセット信号がメインスイッチ１に出力される。
【００１４】
メインスイッチ１がオフのとき、第一の過電流検出回路１０に設けたスイッチ１４は同期してオンする。コンデンサ１５は放電し、メインスイッチ１が再びオンした際に、上記の作用が可能になる。
【００１５】
続いて、本発明に係る電源回路の第二実施例の要部を図４に示す。第二実施例に係る電源回路は、過電流保護回路２は過電流検出抵抗３と過電流検出回路１０とを設けた過電流保護回路２を備えてある。過電流検出抵抗３及び過電流検出回路１０を電源回路のメインスイッチ１のソース端子に接続してある。過電流検出回路１０はコンパレータ１１を備えてある。コンパレータ１１の正側の入力端子にメインスイッチ１のソース端子を接続し、同じくコンパレータ１１の負側の入力端子に基準電圧生成部１２を接続してある。この基準電圧生成部１２は定電圧源１３とスイッチ１４とコンデンサ１５とからなり、定電圧源１３とスイッチ１４とを直列に接続し、この直列回路にコンデンサ１５を並列に接続してあり、メインスイッチ１のオン・オフに応じてレベルが変えられるように構成してある。
【００１６】
基準電圧生成部１２とコンパレータ１１との間の接続部に定電流回路１６を接続し、メインスイッチ１のオン幅に合わせてリニアに変えるようにしてある。また、この定電流回路１６の接続部とコンパレータ１１との間に接続部を設け、この接続部にクランプ手段である抵抗１７を接続し、基準電圧生成部１２の最大電圧を制限するようにしてある。なお、抵抗１７の変わりにツェナーダイオードを設けてもよい。また、定電流回路１６の電圧源をある基準に設定することによっても、基準電圧生成部１２の最大電圧を制限するができる。コンパレータ１１の出力端子をメインスイッチ１の制御端子に接続してある。
【００１７】
第二実施例は以上のように構成し、以下のような作用をする。メインスイッチ１がオンのとき、過電流検出回路１０に設けたスイッチ１４は同期してオフする。基準電圧生成部１２に設けたコンデンサ１５は充電して立ち上がり、基準電圧は上昇する。コンパレータ１１で、過電流検出抵抗３で検出された信号と基準信号とが比較され、メインスイッチ１のゲートリセット信号として出力する。
【００１８】
本実施例においては、定電流回路１６の接続部とコンパレータ１１との間の接続部に抵抗１７を接続してあることにより、基準電圧の最大電圧を制限することができる。即ち、抵抗１７によって設定した基準電圧が最大電圧に達すると、コンパレータ１１の基準レベルは抵抗でクランプされた値で一定になる。従って、この抵抗１７を用いたことにより、動作波形が図３で示す第一の実施例の動作波形とほぼ等しくなり、第二の過電流検出回路３０は必要なくなる。
【００１９】
メインスイッチ１がオフのとき、第二の過電流検出回路１０に設けたスイッチ１４は同期してオンする。これにより、コンデンサ１５は定電圧源１３のレベルまで放電し、メインスイッチ１が再びオンした際に、上記の作用が可能になる。
【００２０】
続いて、本発明に係る電源回路の第三実施例の要部を図５に示し、その動作波形図を図６に示す。第三実施例に係る電源回路は、第一実施例と概ね同じ構成であるが、第一の過電流検出回路１０の基準電圧生成部１２とコンパレータ１１との間に接続部を設け、この接続部に定電流回路１６の変わりに抵抗１８を設けてある。
【００２１】
第三実施例は以上のように構成し、以下のような作用をする。メインスイッチ１がオンのとき、第一の過電流検出回路１０に設けたスイッチ１４は同期してオフする。基準電圧生成部１２に設けたコンデンサ１５は充電して立ち上がる。この場合、電流供給回路に抵抗１８を設けたため、抵抗１８とコンデンサ１５との充電特性により、図６に示すように基準電圧は曲線的に上昇する。コンパレータ１１で、過電流検出抵抗３で検出された信号と基準信号とが比較され、メインスイッチ１のゲートリセット信号として出力する。なお、その他の作用は第一実施例とほぼ同様である。
【００２２】
続いて、本発明に係る電源回路の第四実施例の要部を図７に示し、その動作波形図を図８に示す。第四実施例に係る電源回路は、第一実施例と概ね同じ構成であるが、第一の過電流検出回路１０の基準電圧生成部１２を構成する定電圧源１３とコンデンサ１５との直列回路とこの直列回路と並列に接続したスイッチ１４との間に接続部を設け、この接続部に第二の電流供給回路を接続してある。この電流供給回路はスイッチ１９と定電流回路２０とを直列に接続し、メインスイッチ１のオン期間の途中でこのスイッチ１９をオフさせ、第一の過電流検出回路１０の検出レベルを二段階に切り替えられるように構成してある。なお、本実施例では、第一の過電流検出回路１０の検出レベルを二段階に切り替えられるように構成してあるが、基準電圧生成部１２のコンデンサ１５とコンパレータ１１との間に接続部を複数設け、これらにそれぞれ電流供給回路を設けることにより、検出レベルを三段階以上に切り替えることができる。
【００２３】
第四実施例は以上のように構成し、以下のような作用をする。メインスイッチ１がオンのとき、第一の過電流検出回路１０の基準電圧生成部１２に設けたスイッチ１４は同期してオフする。一方、第二の電流供給回路に設けたスイッチ１９はオンし、図８に示すように、基準電圧生成部１２に設けたコンデンサ１５は充電して立ち上がり、基準電圧は上昇する。コンパレータ１１で、過電流検出抵抗３で検出された信号と基準信号とが比較され、メインスイッチ１のゲートリセット信号として出力する。続いて、メインスイッチ１がオンしている途中で第二の電流供給回路に設けたスイッチ１９はオフすると、定電流は１箇所で供給されることになり、電圧の上昇が緩やかになる。即ち、第四実施例は上記構成により、第一の過電流検出回路１０の検出レベルを二段階に切り替えることができる。なお、その他の作用は第一実施例とほぼ同様である。
【００２４】
続いて、本発明に係る電源回路の第五実施例の要部を図９に示し、その動作波形図を図１０に示す。第五実施例に係る電源回路は、第一実施例と概ね同じ構成であるが、第一の過電流検出回路１０の基準電圧生成部１２は、定電圧源１３と直列にコンデンサ１５を接続して直列回路を構成し、コンデンサ１５と並列にスイッチ１４を接続して構成してある。
【００２５】
第五実施例は以上のように構成し、以下のような作用をする。メインスイッチ１がオフのときは、第一の過電流検出回路１０の基準電圧生成部１２に設けたスイッチ１４は同期してオフする。そのため、定電流回路１６から定電流が流れるとともに、コンデンサ１５は充電される。一方、メインスイッチ１がオンのとき、第一の過電流検出回路１０の基準電圧生成部１２に設けたスイッチ１４は同期して瞬時オンする。このとき、検出レベルは下がるが、基準電圧生成部１２に設けたコンデンサ１５は、図１０に示すように第一の過電流検出回路１０の基準電圧Ｖｏｆｆｓｅｔまでしか下がらない。その後、スイッチ１４が再びオフすると、定電流回路１６から定電流が流れるとともに、コンデンサ１５は充電され、基準電圧は上昇する。なお、その他の作用は第一実施例とほぼ同様である。
【００２６】
続いて、第六実施例について説明する。なお、第六実施例の回路構成は第五実施例と同じである。なお、第六実施例の動作波形図を図１１及び図１２に示す。以上のように構成し、以下のような作用をする。第六実施例では、メインスイッチ１がオフのときに、第一の過電流検出回路１０の基準電圧生成部１２に設けたスイッチ１４は同期してオンさせる。このとき、定電圧源１３の作用により基準電圧は定電圧源１３で決定されるＶｏｆｆｓｅｔで一定の状態になる。一方、メインスイッチ１がオンになると、しばらくの間、第一の過電流検出回路１０の基準電圧生成部１２のスイッチ１４はオンしており、メインスイッチ１がオフのときと同様、基準電圧は定電圧源１３で決定されるＶｏｆｆｓｅｔで一定の状態にある。基準電圧生成部１２のスイッチ１４がオフすると、定電流回路１６より定電流が流れるとともに、コンデンサ１５は充電され、基準電圧は上昇する。基準電圧生成部１２に設けたコンデンサ１５は、図１０に示すように基準電圧Ｖｏｆｆｓｅｔまでしか下がらない。その後、コンデンサ１５を充電して立ち上がり、基準電圧は上昇する。第一の過電流検出回路１０の基準レベルが第二の過電流検出回路３０の基準レベルより上回ると、第二の過電流検出回路３０から出力したゲートリセット信号が採用され、図１１に示すように、このゲートリセット信号がメインスイッチ１に出力される。
【００２７】
続いて、本発明に係る電源回路の第七実施例の要部を図１３に示す。第七実施例に係る電源回路は、過電流保護回路２は過電流検出抵抗３と過電流検出回路１０とを設けてあり、過電流検出抵抗３を電源回路のメインスイッチ１のソース端子に接続してある。過電流検出回路１０にコンパレータ１１を設け、このコンパレータ１１の正側の入力端子にメインスイッチ１のソース端子を接続し、同じくコンパレータ１１の負側の入力端子に基準電圧生成部１２を接続してある。この基準電圧生成部１２は抵抗２１，２２を直列に接続し、接地側の抵抗２１に並列にスイッチ２３を接続してある。このスイッチ２３の制御端子にタイマー回路４０を接続してある。このタイマー回路４０はメインスイッチ１のオンを検出し、ある一定の時間が経つと、過電流検出回路１０の検出レベルを変化させる回路である。
【００２８】
第七実施例は以上のように構成し、以下のような作用をする。メインスイッチ１がオフのとき、タイマー回路４０はハイ信号を出力し、過電流検出回路１０のスイッチ２３は同期してオンする。逆にメインスイッチ１がオンすると、タイマー回路４０がメインスイッチ１のオンを検出し、ある一定の時間の後、ロー信号を出力する。メインスイッチ１がオンした後、しばらくの間はタイマー回路４０の出力がハイ信号を出力しているため、過電流検出回路１０のスイッチ２３はオンの状態にあるので、定電流回路１６は抵抗２２のみにかかり、図１４に示すように、過電流検出回路１０の基準電圧はＶｒｅｆ２になる。
【００２９】
タイマー回路４０はメインスイッチ１がオンした後、メインスイッチ１のオン時間を検出して、ある一定の時間の後、ロー信号を出力する。タイマー回路４０の出力がロー信号の時、スイッチ２３はオフする。メインスイッチ１がオフするとタイマー回路４０はハイ信号を出力し、スイッチ２３はオンする。
【００３０】
メインスイッチ１がオンし、一定の時間をタイマー回路４０が検出すると、タイマー回路４０はロー信号を出力し、過電流検出回路１０のスイッチ２３がオフする。よって、定電流回路１６は抵抗２１にもかかり、図１４に示すように、過電流検出回路１０の基準電圧はＶｒｅｆ１＋Ｖｒｅｆ２になる。以上より、タイマー回路４０でメインスイッチ１のオンを検出し、ある一定の時間の後、スイッチ２３を制御することで、過電流検出回路１０の検出レベルを変化させることができる。
【００３１】
続いて、本発明に係る電源回路の第八実施例の要部を図１６に示す。第八実施例に係る電源回路は、第七実施例と概ね同じ構成であるが、この実施例に係る電源回路は、コンパレータ１１の負側の入力端子に基準電圧生成部１２を接続してあり、この基準電圧生成部１２は抵抗２１，２２を並列に接続し、一方の抵抗２１と並列に、且つ、他方の抵抗２２と直列にスイッチ２３を接続してある。このスイッチ２３の制御端子に第七実施例と同様にタイマー回路４０を接続してある。
【００３２】
第八実施例は以上のように構成し、以下のような作用をする。メインスイッチ１がオフのとき、タイマー回路４０はハイ信号を出力し、過電流検出回路１０のスイッチ２３はオンの状態にあるので、定電流回路１６は抵抗２１及び抵抗２２にかかり、過電流検出回路１０の基準電圧は抵抗２１，２２の合成抵抗分だけ下がる。
【００３３】
メインスイッチ１がオンすると、タイマー回路４０の出力はハイ信号を出力しており、過電流検出回路１０のスイッチ２３は同期してオン状態にある。このときの基準電圧は抵抗２１及び抵抗２２の合成抵抗で決定される。この後、タイマー回路４０がメインスイッチ１のオンを検出し、ある一定の時間の後、タイマー回路４０はロー信号を出力し、スイッチ２３がオフし、定電流回路１６は抵抗２１のみにかかり、過電流検出回路１０の基準電圧は上昇する。
以上より、タイマー回路４０でメインスイッチ１のオンを検出し、ある一定の時間の後、スイッチ２３を制御することで、過電流検出回路１０の検出レベルを変化させることができる。
【００３４】
続いて、本発明に係る電源回路の第九実施例の要部を図１７に示す。この第九実施例に係る電源回路は、第七実施例と概ね同じ構成であるが、この実施例に係る電源回路は、コンパレータ１１の負側の入力端子に基準電圧生成部１２を接続してあり、この基準電圧生成部１２は抵抗２１，２２，２５を直列に接続し、接地側の抵抗２１に並列にスイッチ２３を接続するとともに、この抵抗２１に接続する抵抗２５にも並列にスイッチ２６を接続してある。これらスイッチ２３，２６の制御端子にタイマー回路４０を接続してある。
【００３５】
第四実施例は以上のように構成し、以下のような作用をする。メインスイッチ１がオフのとき、タイマー回路４０の２つの出力は共にハイ信号を出力し、過電流検出回路１０のスイッチ２３，２６は同期してオンする。過電流検出回路１０のスイッチ２３，２６はオンの状態にあるので、定電流回路１６は抵抗２２のみにかかり、過電流検出回路１０の基準電圧はＶｒｅｆ２になる。
【００３６】
メインスイッチ１がオンすると、タイマー回路４０がメインスイッチ１のオンを検出し、ある一定の時間がたつと、まず、スイッチ２３のみオフさせる。これにより、定電流回路１６は抵抗２２及び２１にかかり、過電流検出回路１０の基準電圧はＶｒｅｆ２＋Ｖｒｅｆ１になる。さらにメインスイッチ１のオン幅が広がると、タイマー回路４０がスイッチ２５をオフさせ、定電流回路１６は抵抗２５にもかかり、過電流検出回路１０の基準電圧はＶｒｅｆ２＋Ｖｒｅｆ１＋Ｖｒｅｆ３になる。第九実施例は上記構成により、過電流検出回路１０の基準電圧を三段階に切り替えることができる。なお、その他の作用は第七実施例とほぼ同様である。
【００３７】
なお、本実施例では、第一の過電流検出回路１０に三つの抵抗を直列に接続することにより、基準電圧生成部１２の電圧を三段階に切り替えられるように構成してあるが、基準電圧生成部１２の抵抗を四つ以上直列に接続して、基準電圧生成部１２の電圧を四段階以上に切り替えることができる。
【００３８】
【発明の効果】
本発明によれば、電源の入力電圧に対する垂下点変動が小さくなる効果がある。出力巻線短絡時のメインスイッチの電流ピークを抑え、メインスイッチの破損を防止することができる効果がある。さらに、巻線短絡電流や負荷短絡電流を低減できる効果がある。
【００３９】
また、通常、入力電圧が高くなると垂下点が伸びるため、短絡電流も大きくなるが、本発明によれば、入力が高いときの垂下点を入力が低いときと同程度にできるため、短絡電流の低減ができる効果がある。
【図面の簡単な説明】
【図１】本発明に係る第一実施例の要部の回路図である。
【図２】第一実施例に係る動作波形図である。
【図３】第一実施例に係るレベル波形図である。
【図４】本発明に係る第二実施例の要部の回路図である。
【図５】本発明に係る第三実施例の要部の回路図である。
【図６】第三実施例に係るレベル波形図である。
【図７】本発明に係る第四実施例を示す要部の回路図である。
【図８】第四実施例に係るレベル波形図である。
【図９】本発明に係る第五及び第六実施例の要部の回路図である。
【図１０】第五実施例に係る動作波形図である。
【図１１】第六実施例に係るレベル波形図である。
【図１２】第六実施例に係る動作波形図である。
【図１３】本発明に係る第七実施例の要部の回路図である。
【図１４】第七実施例に係るレベル波形図である。
【図１５】第七実施例に係る動作波形図である。
【図１６】本発明に係る第八実施例の要部の回路図である。
【図１７】本発明に係る第九実施例の要部の回路図である。
【図１８】従来例の要部の回路図である。
【図１９】従来例に係る動作波形図である。
【図２０】従来例に係るレベル波形図である。
【符号の説明】
１  メインスイッチ
２  過電流保護回路
３  過電流検出抵抗
１０，３０，６０  過電流検出回路
１１，３１，４１，６１  コンパレータ
１２，３２，４２，６２  基準電圧生成部
１３  定電圧源
１４，１９，２３，２６，４３  スイッチ
１５，４４  コンデンサ
１６，２０，４６  定電流回路
１７，１８，２１，２２，２４，２５  抵抗
３３  ＯＲ回路
４０  タイマー回路
【図１】
2004234584.tif 000003
【図２】
2004234584.tif 000004
【図３】
2004234584.tif 000005
【図４】
2004234584.tif 000006
【図５】
2004234584.tif 000007
【図６】
2004234584.tif 000008
【図７】
2004234584.tif 000009
【図８】
2004234584.tif 000010
【図９】
2004234584.tif 000011
【図１０】
2004234584.tif 000012
【図１１】
2004234584.tif 000013
【図１２】
2004234584.tif 000014
【図１３】
2004234584.tif 000015
【図１４】
2004234584.tif 000016
【図１５】
2004234584.tif 000017
【図１６】
2004234584.tif 000018
【図１７】
2004234584.tif 000019
【図１８】
2004234584.tif 000020
【図１９】
2004234584.tif 000021
【図２０】
2004234584.tif 000022